(57)【要約】【課題】かご室内の意匠性を損なわない構成で、かご室内から人手で手軽に開閉することができる天井トランク開閉機構を提供することを課題とする。【解決手段】天井トランク開閉機構１０は、エレベータのかご天井側のトランクＴを開閉する機構である。この天井トランク開閉機構１０は、かご室天井を構成する固定パネル１２に隣接してかご室天井を構成するとともにトランクＴの開閉扉となる開閉パネル１４を備える。また、開閉パネル１４を開閉方向に案内し、開閉パネル１４の閉状態のときに開閉パネル１４がかご室Ｓ内から上側への押圧力Ｐを受けると固定パネル１２と開閉パネル１４との間に人手が挿入可能な隙間Ｃを形成するように開閉パネル１４を上側へ案内する案内機構を備える。更に、隙間Ｃから挿入された人手によって、開閉パネル１４の閉状態から下側への移動の規制と規制解除との切り替えが可能な切替機構１８を備える。【選択図】図５
2018127295.tif 000002
【特許請求の範囲】
【請求項１】
エレベータのかご天井側のトランクを開閉する天井トランク開閉機構であって、
かご室天井を構成する固定パネルに隣接して前記かご室天井を構成するとともに前記トランクの開閉扉となる開閉パネルと、
前記開閉パネルを開閉方向に案内し、前記開閉パネルの閉状態のときに前記開閉パネルがかご室内から上側への押圧力を受けると前記固定パネルと前記開閉パネルとの間に人手が挿入可能な隙間を形成するように前記開閉パネルを上側へ案内する案内機構と、
前記隙間から挿入された前記人手によって、前記開閉パネルの前記閉状態から下側への移動の規制と規制解除との切り替えが可能な切替機構と、
を備えることを特徴とする天井トランク開閉機構。
【請求項２】
前記案内機構は、前記開閉パネルの一側縁部の裏面側に、トランク内壁に対して前記開閉パネルを回動可能にするように取付けた蝶番を備えることを特徴とする請求項１に記載の天井トランク開閉機構。
【請求項３】
前記案内機構は、前記開閉パネルの移動をサポートするダンパを前記トランク内に備えることを特徴とする請求項２に記載の天井トランク開閉機構。
【請求項４】
前記切替機構は、
前記開閉パネルの裏面側に取付けられた開閉パネル側ブラケットと、
前記開閉パネルに対して進退動する方向にスライド移動可能なように前記固定パネルの裏面側に取付けられ、前記隙間から挿入された前記人手によって、前記開閉パネル側ブラケットの下方位置に張り出す規制位置と前記開閉パネル側ブラケットの下方位置から退避した規制解除位置との切り替えが可能な固定パネル側ブラケットと、
を備えることを特徴とする請求項１〜３の何れか１項に記載の天井トランク開閉機構。
【請求項５】
前記閉状態で前記押圧力が所定値以下のときには前記開閉パネル側ブラケットが上側へ移動することを防止する磁石を備えることを特徴とする請求項４に記載の天井トランク開閉機構。
【発明の詳細な説明】
【技術分野】
【０００１】
本発明の実施形態は、エレベータのかご天井側のトランクを開閉する天井トランク開閉機構に関する。
【背景技術】
【０００２】
エレベータでは、乗りかごが昇降路内を乗りかごが昇降する構成にされている。この乗りかごでは、かご室内に収容するには長すぎる長尺状被搬送物などを搬送することを考慮して、かご天井側にトランクが形成されていることが多い。
【０００３】
このトランクの開閉は、かご室内に形成されたトランク扉を利用者などが開閉することで行われる。
【先行技術文献】
【特許文献】
【０００４】
【特許文献１】特開平11-222364号公報
【発明の概要】
【発明が解決しようとする課題】
【０００５】
しかし、天井トランク付き仕様の乗りかごでは、トランク扉はネジやボルト類によって固定されていることが多い。このため、トランク扉を開閉する際に工具が必要である。また、かご室内からネジやボルト類が見えることで意匠性が低下し易い構成になっている。
【０００６】
本発明は上記課題に鑑みてなされたものであり、かご室内の意匠性を損なわない構成で、かご室内から人手で手軽に開閉することができる天井トランク開閉機構を提供することを課題とする。
【課題を解決するための手段】
【０００７】
本発明の実施形態に係る天井トランク開閉機構は、エレベータのかご天井側のトランクを開閉する天井トランク開閉機構である。天井トランク開閉機構は、かご室天井を構成する固定パネルに隣接してかご室天井を構成するとともにトランクの開閉扉となる開閉パネルを備える。また、天井トランク開閉機構は、開閉パネルを開閉方向に案内し、開閉パネルの閉状態のときに開閉パネルがかご室内から上側への押圧力を受けると固定パネルと開閉パネルとの間に人手が挿入可能な隙間を形成するように開閉パネルを上側へ案内する案内機構を備える。更に天井トランク開閉機構は、隙間から挿入された人手によって、開閉パネルの閉状態から下側への移動の規制と規制解除との切り替えが可能な切替機構を備える。
【図面の簡単な説明】
【０００８】
【図１】実施形態に係る天井トランク開閉機構で、（ａ）は開閉パネルが閉状態のときのかご室とトランクとを説明する模式的正面図、（ｂ）は開閉パネルを開状態にしてトランクに長尺状被搬送物を入れたことを説明する模式的側面図。
【図２】実施形態に係る天井トランク開閉機構で、開閉パネルが閉状態のときを説明する斜視図。
【図３】実施形態に係る天井トランク開閉機構で、開閉パネルを開状態にすることを説明する斜視図。
【図４】実施形態に係る天井トランク開閉機構で、図１（ｂ）のＢ部の拡大図。
【図５】実施形態に係る天井トランク開閉機構で、開閉パネルが閉状態のときを説明する部分拡大斜視図。
【図６】実施形態に係る天井トランク開閉機構で、閉状態の開閉パネルを押し上げたことを説明する部分拡大斜視図。
【図７】実施形態に係る天井トランク開閉機構で、図６に示した状態から固定パネル側ブラケットをスライド移動させたことを説明する部分拡大斜視図。
【図８】実施形態に係る天井トランク開閉機構の変形例を示す模式的側面図。
【発明を実施するための形態】
【０００９】
以下、添付図面を参照して、実施形態に係る天井トランク開閉機構を説明する。図１は、本実施形態に係る天井トランク開閉機構で、（ａ）は開閉パネルが閉状態のときのかご室とトランクとを説明する模式的正面図、（ｂ）は開閉パネルを開状態にしてトランクに長尺状被搬送物を入れたことを説明する模式的側面図である。図２は開閉パネルが閉状態のときを説明する斜視図である。図３は開閉パネルを開状態にすることを説明する斜視図である。図４は、図１（ｂ）のＢ部の拡大図である。図５は、開閉パネルが閉状態のときを説明する部分拡大斜視図であり、図６は、閉状態の開閉パネルを押し上げたことを説明する部分拡大斜視図である。図７は、図６に示した状態から固定パネル側ブラケットをスライド移動させたことを説明する部分拡大斜視図である。
【００１０】
本実施形態に係る天井トランク開閉機構１０は、エレベータのかご天井側のトランクＴを開閉する機構である。
【００１１】
この天井トランク開閉機構１０は、かご室天井を構成する固定パネル１２に隣接してかご室Ｓの天井を構成しトランクＴの開閉扉となる開閉パネル１４を備えている。そして天井トランク開閉機構１０は、開閉パネル１４を開閉方向に案内する案内機構１６と、開閉パネル１４の閉状態から下側への移動の規制と規制解除との切り替えが可能な切替機構１８とを備えている。
【００１２】
（案内機構）
案内機構１６は、開閉パネル１４の閉状態のときに開閉パネル１４がかご室Ｓ内から上側への押圧力Ｐ（図６参照）を受けると固定パネル１２と開閉パネル１４との間に人手が挿入可能な隙間Ｃを形成するように構成にされている。そして、この隙間Ｃから人手（指）を挿入して、切替機構１８を人手で操作することが可能になっている。
【００１３】
この案内機構１６は、開閉パネル１４の一側縁部の裏面側（上面側）に、トランク内壁２１に対して開閉パネル１４を回動可能にするように取付けた蝶番２２（ヒンジ。図４参照）を備えている。本実施形態では、上記トランク内壁２１はかご室正面側から見て奥側の内壁部分であり、蝶番２２の下側の羽２２ｖが開閉パネル１４のうちトランク内壁２１に隣接する側縁部１４ｅに取付けられている。そして、案内機構１６は、蝶番２２の上側の羽２２ｕに下部が連結され、トランク内壁２１に上部が固定されている蝶番取付部材２４を備えている。そして、蝶番取付部材２４の下部と蝶番２２の上側の羽２２ｕとを連結する連結ネジ２６の下端部２６ｂ（先端部）の位置は、開閉パネル１４を上側へ移動させたときにこの下端部２６ｂが当接する移動上限位置になっており、開閉パネル１４の上側への開き角度（図４参照）の上限値が決まっている。
【００１４】
更に本実施形態では、案内機構１６は、開閉パネル１４の移動をサポートするダンパ２８をトランクＴ内に備えている。ダンパ２８の下端部は、開閉パネル１４の裏面側（上面側）であって側縁部１４ｅに近い部位に取付けられており、ダンパ２８の上端部はトランク内壁２１に取付具を介して取付けられている。
【００１５】
（切替機構）
切替機構１８は、開閉パネル１４に対して進退動する方向Ｕにスライド移動可能なように固定パネル１２の裏面側に取付けられた固定パネル側ブラケット３２と、開閉パネル１４の裏面側に取付けられた開閉パネル側ブラケット３４と、を備えている。
【００１６】
開閉パネル側ブラケット３４は、トランクＴ内でトランク内壁２１を向く方向（図５のＤ方向）から見ると略コの字状の板部材であり、固定パネル側ブラケット３２に対して凹向きに配置されている。そして、開閉パネル側ブラケット３４の水平な上板部３４ｕには、開口孔３４ｈが形成され、ピン３６が開口孔３４ｈを上方から挿通している。そして、ピン頭部３６ｃが開口孔３４ｈの縁部に当接している
固定パネル側ブラケット３２は、開閉パネル１４の閉状態では開閉パネル側ブラケット３４の上板部３４ｕの下側に水平に張り出す上板部３２ｕを有する。上板部３２ｕには、開口孔３４ｈと同様の開口孔３２ｈが形成されている。
【００１７】
そして開閉パネル１４の閉状態では開口孔３４ｈと開口孔３２ｈとの縦方向位置（上下方向位置）が重なっており、ピン３６が開口孔３４ｈと開口孔３２ｈとを挿通している。
【００１８】
また、上板部３４ｕの下面側には磁石４０が固着されており、開閉パネル１４の閉状態では、磁石４０が上板部３２ｕの上面に磁力で吸着している。この構成によって、開閉パネル１４の閉状態では、押圧力Ｐが所定値以下のときには開閉パネル側ブラケット３４が固定パネル側ブラケット３２から上方へ離れることが防止されている。
【００１９】
また、固定パネル１２の裏面側には、開閉パネル１４に対して進退動する方向Ｕにスライド移動可能なように固定パネル側ブラケット３２を保持するアングル４２が配置されている。固定パネル側ブラケット３２はアングル４２の内側に配置されている。
【００２０】
このアングル４２には、進退動する方向Ｕに沿った長孔４４が形成されている。そして、長孔４４を挿通するローレットねじ４６がアングル外側から挿通され、ローレットねじ４６の頭部４６ｃがアングル外側に位置している。そして、固定パネル側ブラケット３２には、ローレットねじ４６の先端部がネジ係合するネジ孔が配置されている。この構成により、ローレットねじ４６の締付けと締付け解除との切り替えによって固定パネル側ブラケット３２のスライド不能、スライド可能が切り替えられる。
【００２１】
（作用、効果）
以下、本実施形態の作用、効果を述べる。トランクＴが閉じられているときの開閉パネル１４、すなわち閉状態の開閉パネル１４（図５参照）では、固定パネル側ブラケット３２の上板部３２ｕに磁石４０が当接している。すなわち、固定パネル側ブラケット３２の上板部３２ｕは、開閉パネル側ブラケット３４の上板部３４ｕの下方位置に張り出す規制位置に位置しており、開閉パネル側ブラケット３４の下側への移動、すなわち開閉パネル１４の下側への移動が規制されている。
【００２２】
このような閉状態でエレベータの乗員（利用者など）が開閉パネル１４を人手で押し上げる。その際、押し上げる力、すなわち上側への押圧力Ｐは、所定値よりも大きい押圧力とする。本実施形態では、所定値よりも大きい押圧力とは、開閉パネル側ブラケット３４の上板部３４ｕの下面側に固着された磁石４０を固定パネル側ブラケット３２の上板部３２ｕから離すのに必要な力である。
【００２３】
このような押圧力Ｐで開閉パネル１４が押し上げられた結果、図６に示すように、磁石４０が上板部３２ｕから離れ、蝶番２２で回動可能に保持されている開閉パネル１４は上側へ回転移動する。そして、ピン３６が開口孔３２ｈから抜けてピン３６による開閉パネル１４の移動規制が解除されるとともに固定パネル１２と開閉パネル１４との間に所定の隙間Ｃが形成される。この所定の隙間Ｃは、図４に示すように、上記の連結ネジ２６の下端部２６ｂに蝶番２２の下側の羽２２ｖが当接することで開閉パネル１４の上側への移動が規制されたときに乗員の人手が入る程度の隙間に設定されている。
【００２４】
そして乗員は、隙間Ｃに人手（自分の片手）を挿入して切替機構１８のローレットねじ４６を緩めることで、固定パネル側ブラケット３２を長孔４４に沿ってスライド移動可能な状態にする。
【００２５】
そして乗員は、固定パネル側ブラケット３２を開閉パネル１４から遠ざかる方向（退避方向Ｅ。図６参照）にスライド移動させる。この結果、固定パネル側ブラケット３２の上板部３２ｕを開閉パネル側ブラケット３４の上板部３４ｕの下方位置から退避し、固定パネル側ブラケット３２は規制解除位置に位置する（図７参照）。この結果、開閉パネル１４の下側への移動の規制が解除される。
【００２６】
そして、開閉パネル１４を自重で下方Ｖへ回転移動させることで、開閉パネル１４が開状態となる。この結果、かご室Ｓのみでは収納できない長尺状被搬送物Ｇ（図１（ｂ）参照）をかご室Ｓに入れてその上部をトランクＴに入れて、乗りかご５０で搬送することができる。
【００２７】
開閉パネル１４を閉状態にするには、開状態にするときと逆の手順で行う。まず、乗員が人手で開閉パネル１４を上方へ回転移動させ、固定パネル１２と開閉パネル１４との間に所定の隙間Ｃ（図７参照）を形成した状態にする。そして、乗員が人手で固定パネル側ブラケット３２を開閉パネル１４に近づく方向にスライド移動させることで上板部３４ｕの下方位置に上板部３２ｕが張り出す規制位置に移動させ（図６参照）、ローレットねじ４６を回転させて固定パネル側ブラケット３２の位置を固定する。そして、開閉パネル１４を自重で下降させることで、ピン３６が開口孔３２ｈに挿入される。そして磁石４０が固定パネル側ブラケット３２の上板部３２ｕに当接し、閉状態となる。
【００２８】
本実施形態により、かご室Ｓ内の意匠性を損なわない構成で、治具や工具を用いなくてもかご室Ｓ内から人手で手軽に開閉することができる天井トランク開閉機構１０が実現される。
【００２９】
また、案内機構１６は、開閉パネル１４の側縁部１４ｅの裏面側に、トランク内壁２１に対して開閉パネル１４を回動可能にするように取付けた蝶番２２を備えている。従って、簡単な構造で、蝶番２２などの取付部材がかご室Ｓから見えない構成にすることができる。
【００３０】
また、案内機構１６は、開閉パネル１４の移動をサポートするダンパ２８をトランクＴ内に備えている。従って、開閉パネル１４が自重により下方へ回転移動する際や、開閉パネル１４を閉じるために上方へ回転移動させる際での急な移動を抑制することが可能になり、衝撃等の不具合が生じ難い。
【００３１】
また、開閉パネル１４が閉状態のときでは、上板部３４ｕの下面側に固定された磁石４０が上板部３２ｕに磁力で吸着している。そして、押圧力Ｐが所定値以下のときには開閉パネル側ブラケット３４が固定パネル側ブラケット３２から上方へ離れること、すなわち開閉パネル側ブラケット３４が上側へ移動することが防止されている。従って、利用者が開閉パネル１４に誤って触れる等による弱い押圧力によって開閉パネル１４が不用意に移動することが防止されている。
【００３２】
また、固定パネル側ブラケット３２は、隙間Ｃから挿入された人手によって開閉パネル側ブラケット３４の下方位置（規制位置）から退避位置（規制解除位置）へ退避可能である。従って、簡単な機構によって開閉パネル１４を自重で下方へ回転移動させる構成にすることができる。しかも、固定パネル側ブラケット３２は、隙間Ｃから挿入された人手によって退避位置（規制解除位置）から開閉パネル側ブラケット３４の下方位置（規制位置）に移動可能である。従って、切替機構１８の構成を簡単に構成にすることができる。
【００３３】
なお、本実施形態では、かご室内壁側と面一となるトランク内壁２１に蝶番２２を配置した例で説明したが、図８に示すように、このトランク内壁２１に対向する位置のトランク内壁５１側に蝶番２２を配置することも可能である。この場合、開閉パネル１４を蝶番２２回りに１８０°回動できる構成にしてもよく、これにより、開閉パネル１４の開状態ではかご室Ｓの天井のうちトランクＴに近い部位を開閉パネル１４で保護することができ、長尺状被搬送物Ｇ（図１（ｂ）参照）の上端部をトランクＴに入れる際にこの上端部が天井に不用意に当たって天井内壁が損傷することを防止できる。
【００３４】
また、本実施形態では磁石４０が開閉パネル側ブラケット３４の上板部３４ｕの下面側に固定されている例で説明したが、磁石４０は、固定パネル側ブラケット３２の上板部３２ｕの上面側に固定されていてもよい。
【００３５】
また、図６、図７では、図３に比べて蝶番２２の形状が異なり、蝶番取付部材２４を配置せずに蝶番２２を直接にトランク内壁側に固定する例で描いている。本実施形態では、トランク内壁２１に対して開閉パネル１４を回動可能に取付ける構造をこのような簡素な構成にすることが可能である。
【００３６】
以上、実施形態を挙げて説明したが、この実施形態は、例として提示したものであり、発明の範囲はそれらに限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３７】
１０…天井トランク開閉機構、１２…固定パネル、１４…開閉パネル、１４ｅ…側縁部、１６…案内機構、１８…切替機構、２１…トランク内壁、２２…蝶番、２２ｕ…羽、２２ｖ…羽、２４…蝶番取付部材、２６…連結ネジ、２６ｂ…下端部、２８…ダンパ、３２…固定パネル側ブラケット、３２ｕ…上板部、３２ｈ…開口孔、３４…開閉パネル側ブラケット、３４ｕ…上板部、３４ｈ…開口孔、３６…ピン、３６ｃ…ピン頭部、４０…磁石、４２…アングル、４４…長孔、４６…ローレットねじ、４６ｃ…頭部、５０…乗りかご、５１…トランク内壁、Ｃ…隙間、Ｄ…方向、Ｅ…退避方向、Ｇ…長尺状被搬送物、Ｐ…押圧力、Ｓ…かご室、Ｔ…トランク、Ｕ…進退動する方向、Ｖ…下方、θ…開き角度
【図１】
2018127295.tif 000003
【図２】
2018127295.tif 000004
【図３】
2018127295.tif 000005
【図４】
2018127295.tif 000006
【図５】
2018127295.tif 000007
【図６】
2018127295.tif 000008
【図７】
2018127295.tif 000009
【図８】
2018127295.tif 000010
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
エレベータのかご天井側のトランクを開閉する天井トランク開閉機構であって、
かご室天井を構成する固定パネルに隣接して前記かご室天井を構成するとともに前記トランクの開閉扉となる開閉パネルと、
前記開閉パネルを開閉方向に案内し、前記開閉パネルの閉状態のときに前記開閉パネルがかご室内から上側への押圧力を受けると前記固定パネルと前記開閉パネルとの間に人手が挿入可能な隙間を形成するように前記開閉パネルを上側へ案内する案内機構と、
前記隙間から挿入された前記人手によって、前記開閉パネルの前記閉状態から下側への移動の規制と規制解除との切り替えが可能な切替機構と、
を備え、
前記切替機構は、
前記開閉パネルの裏面側に取付けられた開閉パネル側ブラケットと、
前記開閉パネルに対して進退動する方向にスライド移動可能なように前記固定パネルの裏面側に取付けられ、前記隙間から挿入された前記人手によって、前記開閉パネル側ブラケットの下方位置に張り出す規制位置と前記開閉パネル側ブラケットの下方位置から退避した規制解除位置との切り替えが可能な固定パネル側ブラケットと、
を備えることを特徴とする天井トランク開閉機構。
【請求項２】
前記案内機構は、前記開閉パネルの一側縁部の裏面側に、トランク内壁に対して前記開閉パネルを回動可能にするように取付けた蝶番を備えることを特徴とする請求項１に記載の天井トランク開閉機構。
【請求項３】
前記案内機構は、前記開閉パネルの移動をサポートするダンパを前記トランク内に備えることを特徴とする請求項２に記載の天井トランク開閉機構。
【請求項４】
前記閉状態で前記押圧力が所定値以下のときには前記開閉パネル側ブラケットが上側へ移動することを防止する磁石を備えることを特徴とする請求項１〜３の何れか１項に記載の天井トランク開閉機構。